(57)【特許請求の範囲】
【請求項１】
間接活線把持工具において、
被把持物を把持する開閉可能な把持具が先端に装備された絶縁操作棒と、
前記絶縁操作棒の基端側に支持ピンを介して回動可能に装備された操作レバーであって、前記操作レバーが回動することにより前記把持具を開閉する、操作レバーと、
前記支持ピンに固定されたギヤと、
前記絶縁操作棒に対して揺動可能に設けられているとともに、前記ギヤに係脱自在に係止しうる係止爪部材であって、前記ギヤに係止しているとき、前記把持具を閉じる方向へ前記操作レバーが回動することを許容するが、前記把持具を開く方向へ前記操作レバーが回動することを阻止する、係止爪部材と、
前記係止爪部材に固定されており揺動可能なロックレバー部材であって、弾性部材と前記弾性部材の付勢力に抗して揺動可能なロックピンとを備えている、ロックレバー部材と、
前記弾性部材に付勢された前記ロックピンが係止しうるロック係止凹部及びロック解除係止凹部が形成されているロック板とを備えており、
前記ロックレバー部材が回動することにより、前記ロックピンが前記ロック係止凹部に係止しているときは前記係止爪部材と前記ギヤとの係止が維持され、前記ロックピンが前記ロック解除係止凹部に係止しているときは前記係止爪部材と前記ギヤとの係止が解除されることを特徴とする、間接活線把持工具。
【請求項２】
前記ロック板の前記ロック解除係止凹部から前記ロック係止凹部まで前記絶縁操作棒の先端方向へ傾斜するテーパー部が形成されている、請求項１に記載の間接活線把持工具。
【請求項３】
前記ロック板の前記ロック解除係止凹部から前記ロック係止凹部まで前記絶縁操作棒の基端方向へ傾斜するテーパー部が形成されている、請求項１に記載の間接活線把持工具。
【請求項４】
前記ロック板の前記ロック解除係止凹部と前記ロック係止凹部との間の部分は、前記絶縁操作棒の先端方向又は基端方向の何れの方向に対しても傾斜していない、請求項１に記載の間接活線把持工具。
【請求項５】
前記ロックレバー部材に取付孔が軸線方向へ延びるように形成されており、前記弾性部材は前記取付孔の一端から突出するように前記取付孔内に装備されている、請求項１乃至４の何れか１項に記載の間接活線把持工具。
【発明の詳細な説明】
【０００１】
【発明の属する技術分野】
本発明は、配電線の活線工事に使用する間接活線把持工具に係り、詳しくは把持具を操作する部分のロック操作とロック解除操作とが容易に行える間接活線把持工具に関する。
【０００２】
【従来の技術】
近年、配電線の活線工事を安全且つ効率良く行うため、絶縁操作棒の先端に把持具を装備し、該把持具を絶縁操作棒の基端側に装備したレバーを介して遠隔操作するようにした間接活線把持工具が使用されている。
【０００３】
間接活線把持工具は、その使い易さの観点から、把持具で対象物を一旦把持したら把持具の閉じた状態を保持して、該把持具を操作するレバーから手を離しても該ロック状態が維持できるようにすることが要望されており、このため把持具を操作する部分をロックする機構を装備したものが種々提案されている。
【０００４】
例えば、図１３及び図１４に示すようなロック機構が提案されている。同図によれば、絶縁操作棒１００の基端側にはカバー１１０が設けられ、このカバー１１０には操作レバー１２０が装備される。操作レバー１２０は、絶縁操作棒１００の先端に装備した把持具（図示せず）を遠隔操作で開閉するもので、その一端部寄りに固定された支持ピン１３０を介してカバー１１０に揺動可能に支持される。カバー１１０には把持具が被把持物を把持し続けるようにするためのロック機構が装備される。このロック機構は、レバー１２０の回動方向を拘束することによって把持具が開かないようにするもので、支持ピン１３０に固定された歯車１４０（ラチェット歯車）と、この歯車１４０に係脱自在に係止する係止爪部１５１（ラチェット爪）を一端部に有する揺動可能なロックレバー１５０と、カバー１１０に螺合され、ロックレバー１５０の揺動範囲を規制するネジ部材１６０と、歯車１４０と係止爪部１５１との係止状態を維持するようにロックレバー１５０を付勢するスプリング１７０とを具備する。ロックレバー１５０は、ピン１８０を介してカバー１１０に揺動可能に装備され、係止爪部１５１を設けた側と反対側の他端部にロック解除ボタン１９０が設けられる。ここで、歯車１４０とロックレバー１５０は、該歯車１４０と係止爪部１５１とが係止している状態で操作レバー１２０の一方向（把持具を閉じる方向）の回動のみを許容するが、これと反対の他方向（把持具を開く方向）への回動を阻止する一方向回転機構を構成する。
【０００５】
被把持物を把持するためには、まず把持具を完全に開いた状態にする。これには、ネジ部材１６０を一方向に回動させて、図１３に示すように、ロックレバー１５０側に突出させる。ロックレバー１５は、ネジ部材１６０に押圧されて、スプリング１７のバネ力に抗して図１３の時計方向に回動し、係止爪部１５１を歯車１４０から外す。これにより、操作レバー１２０は、一方向のみではなく、これと反対の他方向にも回動できる、フリーな状態となる。この状態で操作レバー１２０により把持具を完全に開く。次いで、ネジ部材１６０を他方向に回動させて、ロックレバー１５０から離れる方向に移動させる。これにより、ロックレバー１５は、スプリング１７０のバネ力によって図１３の反時計方向に回動して、係止爪部１５１を歯車１４０に係止させる（図１４参照）。この後、操作レバー１２０を一方向へ回動させて把持具を閉じ、被把持物を把持する。
【０００６】
係止爪部１５１が歯車１４０に係止した状態では、操作レバー１２０の一方向への回動（把持具をさらに閉じる方向への回動）は許容されるものの、他方向への回動（把持具を開く方向への回動）を阻止するので、被把持物の把持状態が維持される。すなわち、操作レバー１２０の回動を一方向にのみ規制することによって、把持具が開かないようにロックされる。
【０００７】
把持具を開くには、上述した如く、ネジ部材１６０を一方向に回動させて、ロックレバー１５０側に突出させてロックレバー１５をスプリング１７のバネ力に抗して図１３の時計方向に回動させるか、あるいはロック解除ボタン１９０を押圧してロックレバー１５をスプリング１７のバネ力に抗して図１３の時計方向に回動させて、係止爪部１５１を歯車１４０から外し、ロックを解除させる。これにより、操作レバー１２０を他方向に回動させて、把持具を開き、該把持具から被把持物を外すことが出来る。
【０００８】
【発明が解決しようとする課題】
上記ロック機構によれば、操作レバー１２０をロックするにはネジ部材１６０を一方向に回動操作し、また操作レバー１２０のロック状態を解除するにはネジ部材１６０を他方向に回動操作するか、あるいはロック解除ボタン１９０をスプリング１７０のバネ力に抗して押し続ける必要があり、このため作業性が劣り、その改善が要望されていた。
【０００９】
本発明は、ロック、ロック解除操作が容易に行えるロック機構を装備した間接活線把持工具を提供することを目的とする。
【００１０】
【課題を解決するための手段】
上記目的を達成するために、本発明の活線把持工具は、被把持物を把持する開閉可能な把持具と、該把持具を先端に装備して該把持具を作業位置に位置決めするための絶縁操作棒と、前記把持具を開閉させる操作レバーを前記絶縁操作棒の基端側に揺動可能に装備した操作部と、該操作部の操作レバーが揺動可能に支持された前記絶縁操作棒の基端側に装備され、該操作レバーの回動を制限するロック機構とを備え、前記ロック機構は、前記把持具を閉じる方向に前記操作レバーを回動させるのを許容し、前記把持具を開く方向に前記操作レバーを回動させるのを阻止する一方向回転機構と、ロック時に前記一方向回転機構を保持し、ロック解除時に、前記一方向回転機構を解除して、前記把持具を閉じる方向と開く方向のいずれの方向にも前記操作レバーが回動するのを許容する、揺動可能なロックレバー部材を備えたロック操作部とを具備してなることを特徴とする。
【００１１】
前記間接活線把持工具において、前記一方向回転機構としては、前記操作レバーを固定して前記絶縁操作棒の基端側に揺動可能に支持するピンに固定されたギヤと、該ギヤに係脱自在に係止する係止爪部材とを具備した機構が好ましい。
【００１２】
また、前記ロックレバー部材は、前記係止爪部材に固定されてなることが好ましい。
【００１３】
また、前記ロック操作部は、前記ロックレバー部材を、前記係止爪部材と前記ギヤとの係止を維持させて一方向回転機構を保持するロック位置と、前記係止爪部材を前記ギヤから外して前記把持具を閉じる方向と開く方向のいずれの方向にも前記操作レバーが回動するのを許容するように、前記一方向回転機構を解除するロック解除位置の何れかの位置に保持するロック板を具備してなることが好ましい。
【００１４】
また、前記ロック板は、前記ロックレバー部材を前記ロック位置に保持するロック係止凹部と、前記ロックレバー部材を前記ロック解除位置に保持するロック解除係止凹部とを備え、一方、前記ロックレバー部材は、前記ロック係止凹部又は前記ロック解除係止凹部に係止する揺動可能なロックピンと、該ロックピンを前記ロック係止凹部、前記ロック解除係止凹部に付勢する弾性部材とを備えてなることが好ましい。
【００１５】
【発明の実施の形態】
以下、本発明の一実施例について、図１乃至図１２を参照して説明する。
【００１６】
図１は本発明の一実施例を示す間接活線把持工具全体の正面図、図２は図１の間接活線把持工具に装備されたロック機構の部分拡大正面図、図３は図２のロック機構部分の背面図、図４は図２、３のロック機構部分のロックレバー部材の正面図、図５は図４のロックレバー部材の背面図、図６は図２、３のロック機構部分のロック板の拡大正面図、図７は図１の間接活線把持工具の使用状態を説明する正面図、図８は操作レバーを把持した手の親指でロックレバー部材を操作する状態を説明する部分拡大正面図、図９はロック位置におけるロック板とロックピンとの関係を説明するための正面図、図１０は同背面図、図１１はロック解除位置におけるロック板とロックピンとの関係を説明するための正面図、図１２は同背面図である。
【００１７】
本実施例の間接活線把持工具は、図１に示すように、固定把持片１１と該固定把持片１１に対して接離可能に配置された回動把持片１２とからなる把持具１０と、該把持具１０を先端に装備して該把持具１０を作業位置に位置決めするための絶縁操作棒２０と、回動把持片１２を固定把持片１１に対して接離操作（回動操作）する操作レバー３１を絶縁操作棒２０の基端側に揺動可能に装備した操作部３０と、該操作部３０の操作レバー３１の近傍に装備され、該操作レバー３１をロックするロック機構４０とを備える。
【００１８】
固定把持片１１は絶縁操作棒２０の先端に固定配置され、また回動把持片１２はその下端寄り部分が枢着ピン１３を介して固定把持片１１の下端寄り部分に回動可能に枢着される。
【００１９】
回動把持片１２の下端部は、絶縁操作棒２０と平行に装備した補助絶縁操作棒３２の上端部に連結される。補助絶縁操作棒３２の下端部は、連結ピン３４を介して操作レバー３１の一端に回動可能に連結される。
【００２０】
操作レバー３１は、図２及び図３に示すように、略Ｌ字状で、補助絶縁操作棒３２と共に操作部３０を構成するものであり、その一端寄り部分が支持ピン３５に固定される。支持ピン３５は、絶縁操作棒２０の基端側に配置したロック機構４０のカバー４１の一端側（図２の左側）に回動可能に装備される。すなわち、操作レバー３１は、支持ピン３５と共にカバー４１に回動可能に装備される。
【００２１】
操作レバー３１を把持して該操作レバー３１を図２の矢印Ａ方向に回動させると、補助絶縁操作棒３２が引き下げられて、回動把持片１２が固定把持片１１側に回動して把持具１０は閉じ、例えば配電線の接続部分に被せる絶縁カバー、配電線から剥離された絶縁被覆等の被把持物を把持する。一方、操作レバー３１を図２の矢印Ａ方向と反対方向に回動させると、補助絶縁操作棒２１が押し上げられて、回動把持片１２が固定把持片１１から離れる側に回動して把持具２０は開き、把持した絶縁被覆等の被把持物を離す。
【００２２】
ロック機構４０は、図２及び図３に示すように、カバー４１に装備され、把持具２０を閉じる方向に操作レバー３１を回動させるのを許容するが、把持具２０を開く方向に操作レバー３１を回動させるのを阻止する一方向回転機構４２と、ロック時に一方向回転機構４２を保持し、ロック解除時に、一方向回転機構４２を解除して、把持具２０を閉じる方向と開く方向のいずれの方向にも操作レバー３１が回動するのを許容する、揺動可能なロックレバー部材４３を備えたロック操作部４４とを具備する。
【００２３】
一方向回転機構４２は、支持ピン３５に固定されたラチェット歯車４２ａと、該ラチェット歯車４２ａに係脱自在に係止する係止爪部材としてのラチェット爪４２ｂとから構成され、ラチェット爪４２ｂの先端がラチェット歯車４２ａに係止している状態では、操作レバー３１の図２の矢印Ａ方向への回動（把持具２０を閉じる方向への回動）を許容するが、同矢印Ａ方向と反対方向への回動（把持具２０を開く方向への回動）を阻止する。
【００２４】
ロック操作部４４は、ロックレバー部材４３と、該ロックレバー部材４３をロック位置とロック解除位置のいずれかの位置に保持するロック板４５とを具備する。ロック板４５によってロックレバー部材４３をロック位置に保持すると、ラチェット爪４２ｂとラチェット歯車４２ａとの係止状態を維持して、操作レバー３１の図２の矢印Ａ方向への回動を許容するが、同矢印Ａ方向と反対方向への回動を阻止する状態（一方向回転機構４２を保持したロック状態）になる。一方、ロック板４５によってロックレバー部材４３をロック解除位置に保持すると、ラチェット爪４２ｂがラチェット歯車４２ａから外れて、操作レバー３１の図２の矢印Ａ方向への回動と同矢印Ａ方向と反対方向への回動のいずれも許容する状態（一方向回転機構４２を解除したロック解除状態）になる。
【００２５】
ロックレバー部材４３は、図４及び図５に示すように、その上端部分がカバー４１に回動可能に装備された枢着ピン４６に固定され、その下端部分が操作レバー３１を把持する手の親指で操作出来るようにカバー４１から突出する。枢着ピン４６にはラチェット爪４２ｂの後端が固定され、ラチェット爪４２ｂとロックレバー部材４３とは一体化しており、ロックレバー部材４３を揺動操作することによりラチェット爪４２ｂをラチェット歯車４２ａに係脱自在に係止させることができる。
【００２６】
ロックレバー部材４３の中間高さ位置には、ピン４７ａを介してロックピン４７ｂが該ロックレバー部材４３の側面から突出した状態で上下方向に揺動可能に装備される（図５参照）。また、ロックレバー部材４３の下端から中間高さ位置にかけて形成した軸線方向に延びる取付孔４３ａ内には、ロックピン４７ｂをロック板４５側に付勢する弾性部材４８が装備される。弾性部材４８は、コイルスプリング４８ａと該コイルスプリング４８ａによって取付孔４３ａから突出してロックピン４７ｂに圧接する押圧ピン４８ｂとからなり（図５参照）、ロックレバー部材４３の下端から孔４３ａ内に螺合したネジ部材４９によってコイルスプリング４８ａのバネ力が調整される。
【００２７】
ロック板４５は、カバー４１の他端側外面（図２の右側）の下方位置に固定され、図６に示すように、その下縁にロックレバー部材４３をロック位置に維持するロック係止凹部４５ａと、ロックレバー部材４３をロック解除位置に維持するロック解除係止凹部４５ｂとが形成される。ロック係止凹部４５ａとロック解除係止凹部４５ｂとの間には、該間の部分をカバー４１の一端側から他端側に上方に傾斜するように（図２の左側から右側に上方に傾斜するように）切除して、ロックピン４７ｂがロック係止凹部４５ａからロック解除係止凹部４５ｂへの円滑な移行を保証するテーパー部４５ｃが形成される。
【００２８】
ここで、ロックピン４７ｂは、押圧ピン４８ｂに押圧されてロック係止凹部４５ａ又はロック解除係止凹部４５ｂに係止しているが、押圧ピン４８ｂを付勢するコイルスプリング４８ａのバネ力に抗して上下方向に揺動することが可能となっている。したがって、ロックレバー部材４３が一方向回転機構４２をロックしたときに（ラチェット爪４２ｂとラチェット歯車４２ａとの係止状態を保持したときに）、操作レバー３１を図２の矢印Ａに回動するのに伴ってラチェット爪４２ｂがラチェット歯車４２ａの歯に乗り上がるのを許容する。すなわち、ラチェット爪４２ｂがラチェット歯車４２ａの歯に乗り上がるのに伴ってロックレバー部材４３が若干回動するのを許容する。また、ロックレバー部材４３のロック位置からロック解除位置への移行を許容する他に、ロックレバー部材４３のロック解除位置からロック位置への移行をも許容する。
【００２９】
図９及び図１０は、押圧ピン４８ｂに押圧されてロックピン４７ｂがロック係止凹部４５ａに係止した状態を示しており、この状態から図１１及び図１２に示すように、ロックピン４７ｂが係止凹部４５ａからテーパー部４５ｃを通ってロック解除係止凹部４５ｂに至るとき、該テーパー部４５ｃに押圧され、ロックピン４７ｂはピン４７ａを支点として下方に回動する。ロックピン４７ｂが、ロック解除係止凹部４５ｂに隣接する、テーパー部４５ｃの一番下方に突出した部分を乗り越えると、ロックピン４７ｂは該テーパー部４５ｃから解放されてコイルスプリング４８ａのバネ力で上方に回動してロック解除係止凹部４５ｂ内に係止する。これとは反対に、ロックレバー部材４３がロック解除位置からロック位置へ移行する際にも同様に、ロックピン４７ｂは、ロック解除係止凹部４５ｂに隣接する、テーパー部４５ｃの一番下方に突出した部分で押圧されて最も下方に回動するが、この部分を乗り越えると、コイルスプリング４８ａのバネ力でロック係止凹部４５ａ内にスムーズに移行して該ロック係止凹部４５ａに係止する。
【００３０】
なお、テーパー部４５ｃの傾斜方向をカバー４１の一端側から他端側に下方に傾斜するように（図２の左側から右側に下方に傾斜するように）してもよい。この場合には、ロックレバー部材４３のロック解除位置からロック位置への移行が容易となる反面、ロックレバー部材４３のロック位置からロック解除位置への移行が若干困難となるものの、ロックレバー部材４３を強制的に押圧してロック位置からロック解除位置へ移行することは可能である。
【００３１】
また、テーパー部４５ｃを形成する代わりに、ロック係止凹部４５ａとロック解除係止凹部４５ｂとの間の部分を水平に切除して、ロックレバー部材４３のロック解除位置からロック位置への移行と、ロックレバー部材４３のロック位置からロック解除位置への移行の両方が容易となるようにしてもよい。
【００３２】
次に、上記実施例の間接活線把持工具の使用方法について、図７乃至図１２を参照して説明する。
【００３３】
把持具１０を完全に開いた状態にするためには、まずロックレバー部材４３をロック解除位置に回動させて（ロックピン４７ｂをロック解除係止凹部４５ｂに係止させて）ラチェット爪４２ｂをラチェット歯車４２ａから外す。これにより、操作レバー４３はフリーな状態となり、該操作レバー４３を図２の矢印Ａ方向と反対の方向へ回動させることによって、回動把持片１２を固定把持片１１から引き離し、把持具１０を完全に開いた状態にすることができる。
【００３４】
把持具１０が完全に開いたら、ロックレバー部材４３をロック位置に回動させるて（ロックピン４７ｂをロック係止凹部４５ａに係止させて）、ラチェット爪４２ｂをラチェット歯車４２ａに係止させ、この係止状態を保持する。次いで、被把持物を回動把持片１２と固定把持片１１との間に介在させてから、操作レバー３１を握りながら、図２の矢印Ａ方向に回動させると、回動把持片１２が固定把持片１１側に回動して被把持物を把持する（図７参照）。ラチェット爪４２ｂとラチェット歯車４２ａとの係止によって操作レバー３１が図２の矢印Ａ方向と反対の方向に回動するのが阻止されるから、操作レバー３１から手を離しても、把持具１０による把持状態は維持される。
【００３５】
被把持物を所定の場所まで搬送したら、被把持物を把持具１０から解放する。この場合には、図８に示すように、操作レバー３１を把持した手の親指を使ってロックレバー部材４３をロック解除位置に回動させて（ロックピン４７ｂをロック解除係止凹部４５ｂに係止させて）ラチェット爪４２ｂをラチェット歯車４２ａから外すと、操作レバー３１はフリーな状態となるので、操作レバー３１を図２の矢印Ａ方向と反対の方向へ回動させて、把持具１０を開く。
【００３６】
上述の如く、ロックレバー部材４３をロック位置あるいはロック解除位置に回動させるだけでよく、図１３、図１４に示すように、ロックするにはネジ部材１６０を一方向に回動操作し、またロック状態を解除するにはネジ部材１６０を他方向に回動操作するか、あるいはロック解除ボタン１９０をスプリング１７０のバネ力に抗して押圧する必要はない。
【００３７】
なお、上記実施例では、一方向回転機構４２としてラチェット爪４２ｂ、ラチェット歯車４２ａを使用した場合を示したが、これに限定されるものではなく、一方向の回転のみを許容する種々の機構を採用できることは勿論である。要は操作レバーを握る手の指で一方向回転機構のロックとロック解除ができる機構であれば、上記実施例に示された機構に限定されない。
【００３８】
【発明の効果】
以上説明したように本発明の間接活線把持工具によれば、ロックレバー部材の揺動操作のみによって一方向回転機構のロックとロック解除とが行えるので、把持具を完全に開いて被把持物を把持した後、把持具を閉じて被把持物を把持する作業が容易に行える。
【００３９】
また、ロック機構は、絶縁操作棒の基端側に装備されているので、操作レバーを把持する手の指（親指）で操作することが可能となり、把持具を使用しての把持作業が極めて容易に行える。
【図面の簡単な説明】
【図１】本発明の一実施例を示す間接活線把持工具全体の正面図である。
【図２】図１の間接活線把持工具に装備されたロック機構の部分拡大正面図である。
【図３】図２のロック機構部分の背面図である。
【図４】図２、３のロック機構部分のロックレバー部材の正面図である。
【図５】図４のロックレバー部材の背面図である。
【図６】図２、３のロック機構部分のロック板の拡大正面図である。
【図７】図１の間接活線把持工具の使用状態を説明する正面図である。
【図８】操作レバーを把持した手の親指でロックレバー部材を操作する状態を説明する部分拡大正面図である。
【図９】ロック位置におけるロック板とロックピンとの関係を説明するための正面図である。
【図１０】同背面図である。
【図１１】ロック解除位置におけるロック板とロックピンとの関係を説明するための正面図である。
【図１２】同背面図である。
【図１３】従来のロック機構のロック解除状態を説明する正面図である。
【図１４】従来のロック機構のロック状態を説明する正面図である。
【符号の説明】
１０    把持具
２０    絶縁操作棒
３０    操作部
３１    操作レバー
３２    補助絶縁操作棒
４０    ロック機構
４１    カバー
４２    一方向回転機構
４３    ロックレバー部材
４４    ロック操作部
４５    ロック板
４８    弾性部材
【図１】
0003996689.tif 000002
【図２】
0003996689.tif 000003
【図３】
0003996689.tif 000004
【図４】
0003996689.tif 000005
【図５】
0003996689.tif 000006
【図６】
0003996689.tif 000007
【図７】
0003996689.tif 000008
【図８】
0003996689.tif 000009
【図９】
0003996689.tif 000010
【図１０】
0003996689.tif 000011
【図１１】
0003996689.tif 000012
【図１２】
0003996689.tif 000013
【図１３】
0003996689.tif 000014
【図１４】
0003996689.tif 000015